(57)【要約】【課題】ユーザが副動画の視聴に専念したい場合において主動画を隠して副動画を強調表示するように指示可能である光ディスク再生装置を提供することにある。【解決手段】画像信号重畳部が、少なくとも第一層〜第三層の三層を用いて、画像の重畳表示を行うための画像信号を生成する。第一層には、主動画を表示する。第二層には、ＯＳＤ生成部により生成される静止画を表示する。第三層には、主動画よりも解像度が低く、且つ副次的に表示する動画である副動画を表示する。第一層は第二層よりも下位に配置され、且つ第二層は第三層の下位に配置される。そしてこれら三層の画像を重畳して一つの階層画像信号を生成する。そして隠蔽指示受付部が隠蔽指示を受け付けた際に、隠蔽用画像生成部はＯＳＤ生成部を用いて第二層に不透過色の画像を生成することにより、ＯＳＤ層よりも下位層に表示されている主動画を隠蔽する。【選択図】図１
2009027552.tif 000002
【特許請求の範囲】
【請求項１】
制御部と、
画像信号を生成する画像信号生成手段と、
複数の画像を階層的に重ね合わせて表示装置に表示するための階層画像信号を複数の画像信号から生成する画像信号重畳手段と、
を備えた光ディスク再生装置において、
前記画像信号重畳手段が、第一動画を表示する第一層と、前記画像信号生成手段により生成される画像を表示する第二層と、前記第一動画よりも解像度が低い第二動画を表示する第三層とを用いて前記階層画像信号を生成するとともに、前記第一層を前記第二層の下位層として配置し、且つ前記第二層を前記第三層の下位層として配置して各層の画像を重ね合わせた階層画像信号を生成し、
前記制御部が、前記第一動画の隠蔽指示を受け付ける隠蔽指示受付部と、隠蔽指示受付部が前記隠蔽指示を受け付けた際に前記画像生成手段を用いて前記第二層に不透過色の画像を表示する隠蔽用画像生成部と、を備えていること
を特徴とする光ディスク再生装置。
【請求項２】
隠蔽指示受付部が前記隠蔽指示を受け付けた際に、前記隠蔽用画像生成部が前記画像生成手段を用いて前記第二層に半透過色の画像を表示すること
を特徴とする請求項１に記載の光ディスク再生装置。
【請求項３】
前記光ディスクがＢＤ（Ｂｌｕ−ｒａｙ  Ｄｉｓｃ）であるとともに、
前記第一層がＢＤの規格におけるＰｒｉｍａｒｙ  Ｖｉｄｅｏを表示する層であり、前記第三層がＢＤの規格におけるＳｅｃｏｎｄａｒｙ  Ｖｉｄｅｏを表示する層であること
を特徴とする請求項１又は請求項２に記載の光ディスク再生装置。
【請求項４】
前記第一動画が、前記光ディスク再生装置に接続された表示装置の画面全体に表示される解像度の動画であり、前記第二動画が、前記表示装置の画面の一部に表示される解像度の動画であること
を特徴とする請求項１〜請求項３の何れかに記載の光ディスク再生装置。
【請求項５】
前記第二動画が、画像信号に含まれる動画に縮小処理を施して作成した縮小動画であること
を特徴とする請求項１〜請求項４の何れかに記載の光ディスク再生装置。
【発明の詳細な説明】
【技術分野】
【０００１】
本発明は、複数の動画を階層的に重ね合わせて再生可能な光ディスク再生装置に関するものであり、特に所定階層の動画を強調して表示可能である光ディスク再生装置に関する。
【背景技術】
【０００２】
近年、ＤＶＤ（Ｄｉｇｉｔａｌ  Ｖｅｒｓａｔｉｌｅ  Ｄｉｓｋ）に続く次世代の光ディスクとして、ＢＤやＨＤ−ＤＶＤ等の大容量光ディスクが普及しつつある。これらの次世代光ディスクはＤＶＤと比較して記憶容量が大きいだけはなく、ＤＶＤが備えていなかった様々な機能を備えている。
【０００３】
この機能の一つとして、複数の動画を階層的に重ね合わせて表示する機能（以下、「階層表示機能」と言う）が存在する。これは例えば、ＢＤの規格において定められた「Ｐｒｉｍａｒｙ  Ｖｉｄｅｏ」（＝主動画）を表示する層（以下、「主動画層」と言う）と、「Ｓｅｃｏｎｄａｒｙ  Ｖｉｄｅｏ」（＝副動画）を表示する層（以下、「副動画層」と言う）を用いて行う。この二つの階層に個別の動画を表示することにより、ユーザは複数の動画を同時に視聴することが可能である。
【０００４】
しかしながらこのような階層表示機能を使用中に、ユーザが複数の動画のうちの一つのみを視聴したくなる状況も考えられる。もし主動画のみを視聴したい場合は階層表示機能をＯＦＦにすればよいが、副動画のみを視聴したい場合、従来は主動画を非表示とすることができなかった。これは階層表示機能において、主動画は副動画よりも優先的に処理されるため、主動画単体を非表示とする機能が存在しなかったためである。このため、もし主動画の表示を停止した場合、副動画も併せて表示が停止されることとなる。
【０００５】
階層表示機能は一画面に表示できる情報量が多いというメリットはあるが、逆に画面が煩雑になり、所定の動画に専念しづらくなるというデメリットもある。このような状況において、主動画と副動画のどちらか一方のみを視聴するための切替選択ができないことは、ユーザにとっての利便性が低いという問題があった。
【０００６】
上記に関連して特許文献１には、表示装置にオートワイド機能を使用したときにも、良好にＯＳＤ（Ｏｎ  Ｓｃｒｅｅｎ  Ｄｉｓｐｌａｙ）データを表示することができる画像再生装置が開示されている。この画像再生装置は、主画像と副画像とからなる画像信号を再生して表示出力すると共に、所定の情報を示すＯＳＤデータを表示出力する。そして、この画像信号がワイド対応信号であり且つこの主画像の下側にこの副画像を表示するようにしたときに、このＯＳＤデータを副画像領域に表示することを特徴としている。
【０００７】
また上記に関連して特許文献２には、主画像データ、副画像データ、及びＯＳＤデータを順次読み出して合成して出力する画像合成装置であって、転送や合成処理等されるデータ量の低減と、消費電力の低減とを図る画像合成装置が開示されている。この画像合成装置は、画像データ合成部と、合成後画像データを記憶部に記憶させる記憶制御部と、画像データ合成部から出力される合成後画像データ、又は記憶部から読み出された合成後画像データを選択して出力するセレクタ部とを備えている。このセレクタ部は、相前後する画像間で入力画像データが変化しない場合に、記憶部から読み出された合成後画像データを選択することを特徴としている。
【０００８】
【特許文献１】特開２００７−０２８５２４号公報
【特許文献２】特開２００６−３０１１６３号公報
【発明の開示】
【発明が解決しようとする課題】
【０００９】
しかしながら上記特許文献１の画像再生装置は、階層表示される複数の画像をより見やすくすることはできるが、ＤＶＤ規格を前提とした再生装置に関するものである。ＤＶＤにおいては静止画の階層表示は可能であるが、動画は一層しか表示できず、動画層以外は静止画しか表示できないという制限がある。また上記特許文献２は、合成データの転送量や処理にかかる消費電力の低減は図れるものの、画像合成装置に関するものである。従って、画像合成機能を持たない再生装置には適用できないし、また特定の階層の動画のみをユーザが視聴可能とするような制御を行うことはできない。
【００１０】
本発明は、上記の問題を鑑みてなされたものであり、ユーザが副動画の視聴に専念したい場合において主動画を隠して副動画を強調表示するように指示可能である光ディスク再生装置を提供することにある。
【課題を解決するための手段】
【００１１】
上記目的を達成するために本発明の光ディスク再生装置は、制御部と、画像信号を生成する画像信号生成手段と、複数の画像を階層的に重ね合わせて表示装置に表示するための階層画像信号を複数の画像信号から生成する画像信号重畳手段とを備えた光ディスク再生装置において、前記画像信号重畳手段が、第一動画を表示する第一層と、前記画像信号生成手段により生成される画像を表示する第二層と、前記第一動画よりも解像度が低い第二動画を表示する第三層とを用いて前記階層画像信号を生成するとともに、前記第一層を前記第二層の下位層として配置し、且つ前記第二層を前記第三層の下位層として配置して各層の画像を重ね合わせた階層画像信号を生成し、前記制御部が、前記第一動画の隠蔽指示を受け付ける隠蔽指示受付部と、隠蔽指示受付部が前記隠蔽指示を受け付けた際に前記画像生成手段を用いて前記第二層に不透過色の画像を表示する隠蔽用画像生成部とを備えていることを特徴としている。
【００１２】
これによると、本発明の光ディスク再生装置は、制御部と、画像信号を生成するＯＳＤ生成部（＝画像信号生成手段）と、複数の画像を階層的に重ね合わせて表示する階層画像信号を複数の画像信号から生成する画像信号重畳部（＝画像信号重畳手段）とを備えている。画像信号重畳部は、少なくとも第一層〜第三層の三層を用いて、画像の重畳表示を行うための画像信号を生成する。第一層には、主動画（＝第一動画）を表示する。第二層には、ＯＳＤ生成部により生成される静止画を表示する。第三層には、主動画よりも解像度が低く、且つ副次的に表示する動画である副動画（＝第二動画）を表示する。第一層は第二層よりも下位に配置され、且つ第二層は第三層の下位に配置される。そしてこれら三層の画像を重畳して一つの階層画像信号を生成する。
【００１３】
さらに制御部が、隠蔽指示受付部と隠蔽用画像生成部とを備えている。隠蔽指示受付部は、ユーザより主動画の隠蔽指示を受け付ける。隠蔽用画像生成部は、隠蔽指示受付部が隠蔽指示を受け付けた際に、ＯＳＤ生成部を用いて第二層に不透過色の画像を生成する。これにより、画像信号重畳部が生成する階層画像信号に含まれる第一層の画像、つまり主動画をユーザが視認できない状態にすることができる。
【００１４】
また、上記目的を達成するために本発明の光ディスク再生装置は、隠蔽指示受付部が前記隠蔽指示を受け付けた際に、前記隠蔽用画像生成部が前記画像生成手段を用いて前記第二層に半透過色の画像を表示することを特徴としている。
【００１５】
これによると、本発明の光ディスク再生装置は、隠蔽指示受付部が隠蔽指示を受け付けた際に、隠蔽用画像生成部がＯＳＤ生成部を用いて第二層に半透過色の画像を生成する。これにより、画像信号重畳部が生成する階層画像信号に含まれる第一層の画像、つまり主動画を、半透明画像によりその一部を隠し、例えばかすみがかったような状態とすることができる。
【００１６】
また、上記目的を達成するために本発明の光ディスク再生装置は、前記光ディスクがＢＤ（Ｂｌｕ−ｒａｙ  Ｄｉｓｃ）であるとともに、前記第一層がＢＤの規格におけるＰｒｉｍａｒｙ  Ｖｉｄｅｏを表示する層であり、前記第三層がＢＤの規格におけるＳｅｃｏｎｄａｒｙ  Ｖｉｄｅｏを表示する層であることを特徴としている。
【００１７】
これによると、本発明の光ディスク再生装置は、再生する光ディスクとしてＢＤを用いる。ＢＤはその規格により、Ｐｒｉｍａｒｙ  Ｖｉｄｅｏと呼ばれる主動画とＳｅｃｏｎｄａｒｙ  Ｖｉｄｅｏと呼ばれる副動画が定められており、この二つを個別の層を用いて重ねて再生することができる。このため、Ｐｒｉｍａｒｙ  Ｖｉｄｅｏを表示する層とＳｅｃｏｎｄａｒｙ  Ｖｉｄｅｏを表示する層と間にＯＳＤ層を配置することにより、本発明の隠蔽機能を実現することができる。
【００１８】
また、上記目的を達成するために本発明の光ディスク再生装置は、前記第一動画が、前記光ディスク再生装置に接続された表示装置の画面全体に表示される解像度の動画であり、前記第二動画が、前記表示装置の画面の一部に表示される解像度の動画であることを特徴としている。
【００１９】
これによると、主動画はディスプレイ等の表示装置の画面全体に表示される大きさであり、且つ副動画は表示装置の画面の一部に表示される大きさである。このため、主動画の上層に副動画を重畳して表示したとしても、ユーザはその両方を一度に視認することができる。
【００２０】
また、上記目的を達成するために本発明の光ディスク再生装置は、前記第二動画が、画像信号に含まれる動画に縮小処理を施して作成した縮小動画であることを特徴としている。
【００２１】
これによると、副動画として、所定の画像に縮小処理を施した縮小動画を用いる。このため例えば、ＢＤに含まれる二つの画像を、一方は主動画として通常表示、一方は副動画として縮小表示するといった同時視聴が可能である。
【発明の効果】
【００２２】
本発明によれば、隠蔽指示受付部が隠蔽指示を受け付けた際に、隠蔽用画像生成部がＯＳＤ生成部を用いて第二層に不透過色の画像を生成する。これにより、画像信号重畳部が生成する階層画像信号に含まれる第一層の画像、つまり主動画をユーザが視認できない状態にして隠蔽する。従って、通常は単体での表示停止を行うことができない主動画を非表示の状態にし、副動画のみを表示する状態にできる。このため、ユーザが主動画を必要とせず、副動画のみを視聴したい状況において、切替ボタン等の操作を行うだけで容易に副動画のみの視聴を行うことができる。
【００２３】
また本発明によれば、隠蔽指示受付部が隠蔽指示を受け付けた際に、隠蔽用画像生成部がＯＳＤ生成部を用いて第二層に半透過色の画像を生成する。これにより、画像信号重畳部が生成する階層画像信号に含まれる第一層の画像、つまり主動画を、半透明画像によりその一部を隠す。このためユーザは副動画の視聴に専念できると共に、主動画の内容を最低限視認することができる。このため、例えば主動画が特定のシーンに移行するまでの間、例えば主動画のコマーシャルが終了するまでの間だけ副動画の視聴に専念したい場合などにおいて、ユーザは主動画の内容を確認しつつ、副動画の視聴に専念できる。
【００２４】
また本発明によれば、ＢＤの規格で定められたＰｒｉｍａｒｙ  Ｖｉｄｅｏ、及びＳｅｃｏｎｄａｒｙ  Ｖｉｄｅｏを用いて重畳表示処理、及び主動画の隠蔽処理を行う。このため、予めＢＤプレーヤに備えられている重畳表示機能を流用できるため、重畳表示用の処理装置、例えばＬＳＩチップ等を制作する際のコストを低減することができる。
【００２５】
また本発明によれば、主動画は副動画よりも大きいサイズであるため、本発明の隠蔽処理をより効果的に実行することができる。
【００２６】
また本発明によれば、副動画として、所定の画像に縮小処理を施した縮小動画を用いるため、例えばＢＤに含まれる複数の動画の一方を主動画として通常表示し、もう一方を副動画として縮小表示するといった同時視聴が可能である。従って、主動画と副動画とどちらの視聴に専念したいかの選択を、随時選択することができる。
【発明を実施するための最良の形態】
【００２７】
以下に本発明の一実施形態を、図面を参照しながら説明する。なお、ここで示す実施形態は一例であり、本発明はここに示す実施形態に限定されるものではない。
【００２８】
〈１．内部構成について〉
図２は、本発明の一実施形態に係るＢＤプレーヤ１（＝光ディスク再生装置）を示すブロック構成図である。ＢＤプレーヤ１は、少なくとも、制御部１１、メモリ１２、ＢＤドライブ１３、データ入力部１４、信号処理部１５、ＯＳＤ処理部１６（＝画像信号生成手段）、画像信号重畳部１７（＝画像信号重畳手段）、データ出力部１８、ＲＯＭ１９、操作部２０、及び表示部２１を含むように構成されている。
【００２９】
制御部１１は、ＢＤプレーヤ１の各部を制御することにより光ディスク再生処理、例えばＢＤディア９１に録画された番組の再生等を統括制御するための中央処理装置である。制御部１１は、マイクロプロセッサ等の複数の演算処理装置から構成されている。制御部１１は各装置、例えば画像信号重畳部１７等の制御やデータの計算、加工処理等を行う中枢部分となっている。
【００３０】
また制御部１１は、制御部１１が備える演算処理装置上でプログラムを実行することにより実現される機能部として、図１に示す重畳指示受付部１１ａ、隠蔽用画像生成部１１ｂ、及び隠蔽指示受付部１１ｃを備えている。なお、これらの各機能部の詳細については後述する。
【００３１】
メモリ１２は、ＢＤプレーヤ１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は、例えば制御部１１によって再生処理が行われる際の処理データや、ユーザから受けた指示命令等を一時的に記録しておくためのバッファメモリとしての役割を持つ。
【００３２】
ＢＤドライブ１３は、ＣＤメディア、ＤＶＤメディア、或いはＢＤメディア９１等の光ディスクに対して光学的に各種データの読み取りを行うための光学装置である。なお、光ディスクには複数の規格が存在するため、ＢＤドライブ１３が対応する規格に応じた光ディスクを使用しなければ、各種処理（再生処理等）を行うことができない。
【００３３】
データ入力部１４は、アンテナ装置等の外部装置から画像信号や音声信号の入力を行うための入力インタフェースである。また、画像信号や音声信号を特定の圧縮方式により圧縮したデジタル情報を入力する役割も持つ。データ入力部１４は例えば、ＲＣＡ端子、Ｓ端子、及びＤ端子等の外部接続端子を含むように構成されている。
【００３４】
信号処理部１５は、画像信号をＭＰＥＧ２等の動画圧縮方式により圧縮を行ったり、音声信号をＤｏｌｂｙ  ＡＣ−３やＬＰＣＭ等の音声圧縮方式により圧縮を行ったりすることによりデジタル情報を生成する。なお、圧縮を行う信号としては、例えばデータ入力部１４より入力された画像信号や音声信号等が圧縮対象となる。また逆に、ＢＤドライブ１３等から入力した圧縮デジタル情報を画像信号及び音声信号に復号する機能も持つ。
【００３５】
ＯＳＤ処理部１６は文字画やアイコン等の静止画を表示するための画像信号を生成する。具体的には例えば、ユーザが録画の予約を行うための録画予約画面や、早送り等の動作状態を示すアイコン等を表示するための画像信号を生成する。ＯＳＤ処理部１６により生成された画像信号は後述する画像信号重畳部１７に与えられ、ＯＳＤ層の画像として重畳される。
【００３６】
画像信号重畳部１７は、信号処理部１５から与えられた画像信号と、ＯＳＤ処理部１６から与えられた画像信号とを重畳し、原色信号に変換する。画像信号重畳部１７は例えば、ＬＳＩチップ等の集積回路により実現される。画像信号重畳部１７は例えば、（１）背景層、（２）主動画層、（３）副動画層、（４）インナーＯＳＤ層Ａ、（５）インナーＯＳＤ層Ｂ、（６）ローカルＯＳＤ層Ａ、及び（７）ローカルＯＳＤ層Ｂの七層を備えている。そして各層に表示される画像を重畳して一つの画像信号に変換し、データ出力部１８に与えられる。
【００３７】
本発明の画像信号重畳部１７は、主動画層と副動画層との間に、ローカルＯＳＤ層Ａ及びローカルＯＳＤ層Ｂの少なくとも一方を配置する。これにより例えば、下位層より（２）主動画層、（６）ローカルＯＳＤ層Ａ、（３）副動画層の順に配置されることとなる。なお、画像信号重畳部１７が備える七層うち、上記三層の上下関係が上記の条件を満たしていれば、その他の層の配置順は特に限定されない。
【００３８】
データ出力部１８は、ＢＤプレーヤ１に接続された液晶モニタ等の画像表示装置や、スピーカ等の音声装置に対して、画像信号及び音声信号を出力するための出力インタフェースである。ＲＯＭ１９は、情報の読み出しのみが可能な記録媒体である。ＲＯＭ１９には例えば、制御部１１を用いて画像再生処理等を行うためのプログラムデータや、工場出荷時のＢＤプレーヤ１の初期設定情報等が記録されている。
【００３９】
操作部２０は、ユーザがＢＤプレーヤ１に対して各種指示を行うための操作、例えば再生指示や表示切り替え指示等を行うためのものである。操作部２０は通常、数字ボタンやカーソルボタン等の複数のボタンから構成されている。表示部２１は、ＢＤプレーヤ１が保持する各種情報、例えば動作状態や動画の再生時間等をユーザに対して表示するためのものである。表示部２１は例えば、液晶パネル等の小型で消費電力の少ない表示装置を用いることが望ましい。
【００４０】
〈２．機能部の構成について〉
ここで、本発明の一実施形態に係るＢＤプレーヤ１における主動画隠蔽処理を実施するための各機能部の関係を、図１の機能ブロック図を用いながら説明する。
【００４１】
図１に示すように本発明の主動画隠蔽処理は少なくとも、制御部１１が備える重畳指示受付部１１ａ、隠蔽用画像生成部１１ｂ、及び隠蔽指示受付部１１ｃと、信号処理部１５と、ＯＳＤ処理部１６と、画像信号重畳部１７とにより実施される。
【００４２】
重畳指示受付部１１ａは、操作部２０により所定のユーザ操作、例えば副動画表示ボタンが押下された場合等に発行される重畳表示指示を受け付ける。重畳表示においては通常、主動画が画面全体に表示され、その上層に主動画よりも小さい副動画が表示される。また、主動画と副動画以外にも、ＯＳＤ等を用いて作成した画像を重ね合わせて表示することも可能である。
【００４３】
隠蔽用画像生成部１１ｂは、ＯＳＤ処理部１６を用いて、後述する図３のＯＳＤ層６０に画面全体サイズの隠蔽用画像（＝不透過色の画像）、或いは半透明画像（＝半透過色の画像）を表示する。これにより、ＯＳＤ層６０より下層、例えば図３の主動画層５０の動画は視認することができなくなる。なお、隠蔽用画像は例えば黒色や白色の単一色画像を用いることが望ましいが、ユーザ選択可能とする形態であってもよい。また、半透明画像の透明度をユーザ設定できる形態であってもよい。
【００４４】
隠蔽指示受付部１１ｃは、操作部２０により所定のユーザ操作、例えば主動画・副動画切替ボタンの押下等が行われた場合に発行される、主画像の隠蔽指示を受け付ける。隠蔽指示とは、主画像と副画像とを階層的に重ね合わせて表示されている状態において、主画像を隠してユーザが副画像の視聴に専念できるようにするための指示である。この指示を受け付けた隠蔽指示受付部１１ｃは、隠蔽用画像生成部１１ｂに対して、ＯＳＤ層に隠蔽用画像或いは半透明画像を表示する指示を与える。
【００４５】
〈３．画像の階層構造について〉
ここで、本発明の一実施形態に係るＢＤプレーヤ１における画像の表示層の階層構造を、図３の模式図を用いながら説明する。
【００４６】
図３に示すように本発明のＢＤプレーヤ１が生成する画像は少なくとも、主動画層５０（＝第一層）、ＯＳＤ層６０（＝第二層）、副動画層７０（＝第三層）の三層を含むように構成されている。なお図３には図示していないが、この他に背景層や、インナーＯＳＤ層等が存在するが、これらの層の上下関係は特に限定しない。
【００４７】
主動画層５０は主動画を表示する層であり、上述の（１）背景層〜（７）ローカルＯＳＤ層Ｂにおける（２）主動画層に相当する。主動画層５０はＯＳＤ層６０よりも下位に配置される。この主動画層５０には、画面全体に表示される通常動画、例えばユーザが通常のＢＤ再生を行った際に画面に表示される動画等が表示される。
【００４８】
ＯＳＤ層６０は、ＯＳＤ処理部１６が生成した静止画像を表示する層であり、上述の（１）背景層〜（７）ローカルＯＳＤ層Ｂにおける（６）ローカルＯＳＤ層Ａ及び（７）ローカルＯＳＤ層Ｂに相当する。ＯＳＤ層６０は主動画層５０よりも上位、且つ副動画層７０よりも下位に配置される。このＯＳＤ層には例えば、ＢＤプレーヤ１の各種設定を行うための設定画面等が表示される。また、隠蔽用画像や半透明画像を表示することにより、これより下層の画像を隠蔽する役割も持つ。
【００４９】
副動画層７０は副動画を表示する層であり、上述の（１）背景層〜（７）ローカルＯＳＤ層Ｂにおける（３）副動画層に相当する。副動画層７０はＯＳＤ層６０よりも上位に配置される。この副動画層７０には、画面の一部にのみ表示される小サイズの動画である副動画７１が表示される。副動画７１は例えば、通常の動画に縮小処理を施した縮小動画等が用いられる。
【００５０】
これら複数の層が重ね合わされることによりモニタ等の表示装置に表示される画面の一例が図４〜図６の画面図である。図４は、主動画層５０に主動画５１（＝この例ではドラマの動画）、副動画層７０に副動画７１（＝この例ではゴルフの動画）が表示されており、且つＯＳＤ層６０に画像が表示されていない状態の画面を示している。
【００５１】
また図５は、主動画層５０に主動画５１、副動画層７０に副動画７１が表示されており、ＯＳＤ層６０に灰色の単一色画像が表示されている状態の画面を示している。ＯＳＤ層６０に単一色画像が表示されているため、それより下位に配置されている主動画層５０の主動画５１は隠蔽され、ユーザからは視認できないようになっている。これによりユーザは、主動画５１の影響を受けることなく副動画７１の視聴に専念することができる。
【００５２】
また図６は、主動画層５０に主動画５１、副動画層７０に副動画７１が表示されており、ＯＳＤ層６０に半透明画像が表示されている状態の画面を示している。ＯＳＤ層６０に半透明画像が表示されているため、それより下位に配置されている主動画層５０の主動画５１はその一部しか表示されず、ユーザからは視認しにくい状態となっている。これによりユーザは、主動画５１の内容を確認しつつ、副動画７１の視聴に専念することができる。
【００５３】
〈４．動画の重畳表示処理について〉
ここで、本発明の一実施形態に係るＢＤプレーヤ１における重畳表示処理及び主動画の隠蔽処理について、図１及び図２のブロック図と、図３の模式図と、図４〜図６の画面図と、図７のフロー図とを用いながら説明する。
【００５４】
図７は、本発明の一実施形態に係る動画の重畳表示処理及び主動画の隠蔽処理フローを示したフローチャートである。本処理は、ＢＤプレーヤ１がＢＤドライブ１３に挿入されたＢＤメディア９１の再生処理を行うことにより開始される。
【００５５】
本処理の開始後、重畳指示受付部１１ａはステップＳ１１０において、複数の動画の重畳表示指示を受け付けたかどうかの判定を行う。なお重畳表示指示は、例えば操作部２０をユーザが操作することにより、複数動画の同時再生を指示した場合等に発行される。重畳表示指示が検知されていない場合、再びステップＳ１１０に移行し、重畳表示指示を待ち受ける状態となる。
【００５６】
重畳表示指示を検知した場合、重畳指示受付部１１ａはステップＳ１２０において、画像信号重畳部１７に対して複数の動画の重畳表示処理を指示する。この指示を受けた画像信号重畳部１７は、例えば図４に示すように、主動画５１と副動画７１を画面上に重畳表示させるための画像信号を生成する。なおこの画像信号は、ＢＤメディア９１から読み取られ、信号処理部１５により変換された複数の画像信号を合成することにより生成される。
【００５７】
次に重畳指示受付部１１ａはステップＳ１３０において、重畳表示の停止指示を受け付けたかどうかの判定を行う。重畳表示の停止指示を受け付けた場合、画像信号重畳部１７による重畳表示を停止する。そしてステップＳ１１０に移行し、再び重畳表示指示を待ち受ける状態となる。
【００５８】
重畳表示の停止指示を受け付けていない場合、隠蔽指示受付部１１ｃはステップＳ１４０において、主動画の隠蔽指示を受け付けたかどうかの判定を行う。なお隠蔽指示は、例えば操作部２０をユーザが操作することにより、副動画の強調表示を指示した場合等に発行される。隠蔽指示が検知されていない場合、再びステップＳ１３０に移行し、重畳表示の停止指示を待ち受ける状態となる。
【００５９】
隠蔽指示を検知した場合、隠蔽用画像生成部１１ｂはステップＳ１５０において、ＯＳＤ処理部１６に対してＯＳＤ層に隠蔽用画像或いは半透明画像を表示するように指示する。この指示を受けた画像信号重畳部１７は、例えば図５に示すように、ＯＳＤ層に単一色画像を表示して主動画５１を視認できなくする。また或いは、図６に示すように、ＯＳＤ層に半透明画像を表示して主動画５１を視認しづらくする。これにより、ユーザは副動画７１の視聴に専念できるようになる。
【００６０】
次に隠蔽指示受付部１１ｃはステップＳ１６０において、隠蔽処理の停止指示を受け付けたかどうかの判定を行う。隠蔽処理の停止指示を受け付けた場合、隠蔽指示受付部１１ｃはステップＳ１７０において、隠蔽用画像生成部１１ｂ及びＯＳＤ処理部１６による主動画の隠蔽処理を停止する。隠蔽処理の停止指示を受け付けていない場合、ステップＳ１５０に移行し、引き続き隠蔽処理を継続して行う。
【００６１】
ステップＳ１７０の実行後、制御部１１は再びステップＳ１３０に移行し、重畳表示の停止指示を受け付けたかどうかの判定を行う。以降、上記ステップＳ１１０〜ステップＳ１７０の処理を繰り返して行うことにより、重畳表示処理、及び主動画の隠蔽処理を継続して行う。なお本処理は、操作部２０等を用いたユーザ操作により、再生停止指示やＢＤプレーヤ１の電源の停止指示が発行された場合等に終了する。
【００６２】
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００６３】
従って本発明は、以下の形態にも適用可能である。
（Ａ）本実施形態では、画像信号重畳部が複数画像を表示するための階層構造として、（１）背景層〜（７）ローカルＯＳＤ層Ｂまでの七層構造を例に説明しているが、これ以外の複数の階層を持つ階層構造であっても構わない。また、副動画を表示する層が（３）副動画層以外に存在しても構わない。ただしこの場合、各副動画層は隠蔽処理を行うためのＯＳＤ層、つまり（６）ローカルＯＳＤ層Ａや（７）ローカルＯＳＤ層Ｂよりも上位に配置する必要がある。
【００６４】
（Ｂ）本実施形態では、隠蔽処理を行うためにＯＳＤ処理部１６が全画面大の単一色画像や半透明画像を用いているが、これら以外の画像、例えば予めユーザ指定された静止画を用いる形態であってもよい。また、隠蔽を行う範囲を画面全体ではなく、副動画の周辺のみに限定する形態であってもよい。
【００６５】
（Ｃ）本実施形態では、隠蔽処理を行うためにＯＳＤ処理部１６が全画面大の単一色画像や半透明画像を装置固有のものとして説明しているが、複数の単一色画像や半透明画像の中から使用する画像をユーザが選択したり、或いはユーザ作成画像を用いる形態でもよい。また、半透明画像の透明度を設定できる形態であってもよい。これにより、隠蔽処理にバリエーションを持たせることができる。
【００６６】
（Ｄ）本実施形態では、光ディスク再生装置としてＢＤプレーヤ１を例に挙げているが、重畳表示機能を備えたこれ以外の光ディスク装置において本発明の隠蔽処理を実施する形態でもよい。例えば、ＢＤ−Ｒレコーダや、ＨＤ−ＤＶＤプレーヤにおいて実施する形態であってもよい。
【００６７】
（Ｅ）本実施形態では、重畳表示処理及び隠蔽処理に関わる各種機能部が、マイクロプロセッサ等の演算処理装置上でプログラムを実行することにより実現されているが、各種機能部が複数の回路により実現される形態でもよい。
【図面の簡単な説明】
【００６８】
【図１】は、本発明の光ディスク再生装置が備える機能部の構成を示す機能ブロック図である。
【図２】は、本発明の光ディスク再生装置の内部構造を示す構成図である。
【図３】は、本発明の画像信号重畳部が生成する画像信号の階層構造を示した模式図である。
【図４】は、本発明の光ディスク再生装置により表示される画面の一例を示す画面図である。
【図５】は、本発明の光ディスク再生装置により表示される画面の一例を示す画面図である。
【図６】は、本発明の光ディスク再生装置により表示される画面の一例を示す画面図である。
【図７】は、本発明の隠蔽処理の処理フローを示したフロー図である。
【符号の説明】
【００６９】
１      ＢＤプレーヤ（光ディスク再生装置）
１１    制御部
１１ａ  重畳指示受付部
１１ｂ  隠蔽用画像生成部
１１ｃ  隠蔽指示受付部
１６    ＯＳＤ処理部（画像信号生成手段）
１７    画像信号重畳部（画像信号重畳手段）
【図１】
2009027552.tif 000003
【図２】
2009027552.tif 000004
【図３】
2009027552.tif 000005
【図４】
2009027552.tif 000006
【図５】
2009027552.tif 000007
【図６】
2009027552.tif 000008
【図７】
2009027552.tif 000009